(57)【特許請求の範囲】
【請求項１】
発電機本体及び前記発電機本体を駆動するエンジンを載置した基台フレームと，前記基台フレーム上において前記エンジン及び発電機本体を包囲するボンネットにより構成されたパッケージを備え，前記パッケージ内に前記発電機本体を，該発電機本体の端部カバーが前記ボンネットの側壁中のいずれか一の側壁と対向するように配置すると共に，前記発電機本体上に制御盤を載置する架台を設けたエンジン駆動型発電機において，
前記架台が，
前記制御盤を載置する横架材と，
前記一の側壁に対して交叉する方向の側壁の一方である他の側壁と前記発電機本体間で前記基台フレームより立設し，前記横架材の前記他の側壁側の端部の底面を支持する脚部を備え，
前記架台の前記脚部に，外部機器へ電力を供給する出力端子盤を設け，該出力端子盤の外部配線用接続端子を，前記他の側壁に設けた開口側に突出させると共に，前記出力端子盤の機内配線用接続端子を，前記発電機本体側に突出させ，
前記一の側壁のうち，少なくとも前記横架材よりも下方に位置する部分を前記ボンネットより着脱可能としたことを特徴とするエンジン駆動型発電機。
【請求項２】
前記出力端子盤を，前記発電機本体の上端よりも上方位置で前記脚部に設けたことを特徴とする請求項１記載のエンジン駆動型発電機。
【請求項３】
前記出力端子盤を，前記発電機本体側で覆うカバーを前記脚部に着脱可能に設けたことを特徴とする請求項１又は２記載のエンジン駆動型発電機。
【請求項４】
前記脚部を，高さ方向の二辺を成し前記他の側壁と直交するフランジ部と，前記フランジ部間に架設され前記他の側壁に対向する中間壁を備えた構成に形成し，
前記脚部の前記中間壁に，機内側に向かって陥没する陥没部を設け，該陥没部に前記出力端子盤を設けたことを特徴とする請求項１〜３いずれか１項記載のエンジン駆動型発電機。
【請求項５】
前記制御盤の載置位置における前記横架材に，配線用開口を設けたことを特徴とする請求項１〜４いずれか１項記載のエンジン駆動型発電機。
【発明の詳細な説明】
【技術分野】
【０００１】
本発明は，エンジン駆動型発電機に関し，より詳細には，発電機本体やエンジン等の構成機器をパッケージ内に収容したエンジン駆動型発電機において，外部接続機器が接続される出力端子盤の配置構造に特徴を有するエンジン駆動型発電機に関する。
【背景技術】
【０００２】
発電機本体とこの発電機本体を駆動するためのエンジン，燃料タンク，その他必要な機器をパッケージ内に収容した可搬式のパッケージ型エンジン駆動型発電機は，工事現場やイベント会場，災害の被災地等において電力を得るために広く使用されている。
【０００３】
このようなエンジン駆動型発電機のパッケージは，一般に前述のエンジンや発電機本体，その他の必要な機器を載置する基台フレームと，この基台フレーム上を覆って前記エンジンや発電機本体等を収容するボンネットによって構成された箱型を成し，このようにして形成されたパッケージ内に前述のエンジンや発電機本体，燃料タンク，その他必要な機器を収容することで，パッケージ内に収容した機器を風雨より保護すると共に，エンジンや発電機本体を駆動した際に発生した騒音が外部に漏出することを防止している。
【０００４】
以上のように構成されたエンジン駆動型発電機には，エンジンや発電機本体及び供給電力を制御するための制御盤，各種のスイッチや計器類が設けられた操作パネルが設けられていると共に，発電機本体が発生した電力をパッケージ外に配置された外部接続機器に供給するための出力端子盤が設けられている。
【０００５】
このような操作パネルや出力端子盤は，パッケージ外から操作パネル上のスイッチ類を操作したり，出力端子盤に設けた出力端子に外部配線を接続したりすることができるよう，ボンネットの側壁に操作パネル用の開口と出力端子盤用の開口をそれぞれ設け，これらの開口の形成位置におけるボンネットの内壁に操作パネルや出力端子盤を取り付けることが一般に行われている。
【０００６】
しかし，上記操作パネルや出力端子盤の配置構成を採用する場合，内面に操作パネルや出力端子盤が取り付けられた側壁を脱着すると，操作パネルや出力端子盤も側壁と共に取り外されることとなるため，脱着の度に操作パネルや出力端子盤に接続されている内部配線についても脱着する作業が必要となり煩雑である。
【０００７】
そこで，上記煩雑さを解消するために，本願の出願人は，図７に示すように端部カバー２３１がボンネットの一の側壁（リヤカバー２１２）と対向するようにパッケージ内に発電機本体２３０を配置したエンジン駆動型発電機２００において，パッケージ内に基台フレームより立設した複数の脚部２２１と，該脚部２２１の上端間に架設された横架材２２２によって発電機本体２３０を跨ぐ略門型の架台２２０を設け，この架台２２０に制御盤２６０を載置すると共に，操作パネル２５０と出力端子盤２７０を，一の側壁（リヤカバー２１２）に設けた開口２４１，２４２に向けて前記架台２２０に取り付ける構造の採用を提案している（特許文献１参照）。
【０００８】
この構成では，リヤカバー２１２を着脱しても，操作パネル２５０や出力端子盤２７０を架台２２０に取り付けた状態のまま機内に残しておくことができるため，リヤカバー２１２の脱着作業を，操作パネル２５０や出力端子盤２７０に対する機内配線の脱着作業とは切り離して行うことができる。
【先行技術文献】
【特許文献】
【０００９】
【特許文献１】特許第４８５４３６１号公報
【発明の概要】
【発明が解決しようとする課題】
【００１０】
複数の機種の組立を行う多種混合組立ラインにおいては，各機種の組立ライン上での作業時間のバラツキを無くし，作業時間の均一化を図るため，機能や構成部位単位毎に所定範囲の構成機器群をモジュール化し，このモジュール化された構成機器群を，エンジンや発電機本体等の主要部品の組み付けを行う，メインの組立ラインに導入する前に予め組み立てておく「サブアセンブリ」が行われる。
【００１１】
前述した特許文献１に記載のエンジン駆動型発電機２００の構成にあっては，架台２２０，制御盤２６０，操作パネル２５０，及び出力端子盤２７０を１つのモジュールとして，これらの組み付けと配線をサブアセンブリとして行うことで，組立ラインにおいて，基台フレーム上にエンジンや発電機本体を組み付けると共に前述のサブアセンブリした架台モジュールを載置し，制御盤２６０からの配線をエンジンや発電機本体２３０に接続するだけで配線作業が完了する等，組立ライン上での作業を簡略化することが可能となっている。
【００１２】
しかし，前述した特許文献１に記載の構成では，出力端子盤２７０をリヤカバー２１２側に向けて，架台２２０の横架材２２２に吊り下げるように取り付けていることから（図７参照），出力端子盤２７０に対する機内配線を取り付ける際の作業性が悪く，誤配線や取り付け不良等の不具合の発生が起こり易いだけでなく，配線作業後の検査や点検作業が行い難く，更に，発電機本体２３０のメンテナンス時における作業性をも低下させている。
【００１３】
すなわち，特許文献１に記載のエンジン駆動型発電機２００では，サブアセンブリで行う出力端子盤２７０に対する機内配線の取り付けを，架台２２０の後部側（エンジン駆動型発電機２００の組立完了時におけるリヤカバー２１２側）から行おうとした場合，架台２２０の後部側から出力端子盤２７０を見ると，出力端子盤２７０の背面に設けた機内配線用接続端子２７２は死角となることから，機内配線用接続端子２７２に対する配線の接続作業は手探りで行うこととなるために作業性が悪く，誤配線や取付不良等が生じ易い。
【００１４】
このような問題を解消するために，例えば，架台２２０に対する出力端子盤２７０の取付作業については架台２２０の後部側から，出力端子盤２７０に対する機内配線の接続作業については架台２２０の前方側（エンジン駆動型発電機２００の組立完了時におけるフロントカバー２１１側）から行うといったように，作業内容に応じて作業者が架台２２０の回りを移動し，あるいは，架台２２０を回転させて作業を行うことも考えられるが，出力端子盤２７０は架台２２０の後部側（リヤカバー２１２側）で横架材２２２に取り付けられているため，架台２２０の前方側（フロントカバー２１１側）から作業を行おうとすると，出力端子盤２７０は架台２２０の奥まった位置にあることから，作業性の悪さは依然解消されず，しかも，作業内容毎に架台２２０の回りを移動し，あるいは架台２２０を回転させる作業は煩雑である。また，誤配線や取付不良は，組立ラインを経て発電機の組立が完了した後の最終検査（例えば試運転前検査）において検査され，また，出荷後には，ユーザにより配線の緩みや外れ，断線等の点検が行われることとなるが，このような出力端子盤２７０の検査や点検作業は，リヤカバー２１２を取り外してボンネットの後部を開放した状態で行うため，特許文献１に記載のエンジン駆動型発電機２００では，出力端子盤２７０の背面に設けた機内配線用接続端子２７２に対する配線の取付状態の確認は，架台２２０の下方から出力端子盤２７０の背面を覗き込むようにして確認することが必要で，作業者に無理な姿勢を強いるものとなっている。
【００１５】
しかも，このようにして出力端子盤２７０の背面を覗き込んだとしても，機内配線用接続端子２７２に対する配線の接続部分が見難く，誤配線や配線の緩み，外れ，断線等の不具合を見落とし易い。
【００１６】
このような問題を解消するために，例えば鏡を使って出力端子盤２７０の背面を点検することも考えられるが，左右が反転した鏡像に基づいて配線の検査，点検を行い，緩みや外れ等を修正する作業を行うには熟練を要する。
【００１７】
更に，エンジン駆動型発電機２００を使用するユーザは，出力端子盤２７０に対する機内配線の点検作業のみならず，発電機本体２３０に対してもベアリングの交換やコイルに付着した埃等を除去するためのエアブローの実施等，定期的なメンテナンス作業を行うことが必要となるが，これらの作業は，発電機本体２３０の端部カバー２３１を取り外して行われる。
【００１８】
しかし，前述したように架台２２０の横架材２２２に出力端子盤２７０を吊り下げるように取り付けた特許文献１に記載のエンジン駆動型発電機２００の構成にあっては，出力端子盤２７０が，発電機本体２３０の端部カバー２３１の上端部の前方に覆い被さるように配置されるため（図７参照），例えば端部カバー２３１を固定しているボルトを外す際に工具が出力端子盤２７０と干渉してしまう等，端部カバー２３１の取り外しを行うための十分な作業スペースが確保されておらず，発電機本体２３０のメンテナンス性も良いとは言えない。
【００１９】
そこで本発明は，上記従来技術における欠点を解消するために成されたものであり，出力端子盤に対する機内配線作業を容易とすることでサブアッセンブリにおける作業性を向上させ，また，検査やメンテナンス時において出力端子盤の背面確認を容易にできるようにすることで，検査，点検時における誤配線，配線の緩みや外れ，断線等の不具合を発見し易く，しかも，発電機本体の端部カバーの前方に十分な作業スペースを確保することで，発電機本体のメンテナンス性についても改善することができる出力端子盤の配置構造を備えたエンジン駆動型発電機を提供することを目的とする。
【課題を解決するための手段】
【００２０】
以下に，課題を解決するための手段を，発明を実施するための形態で使用する符号と共に記載する。この符号は，特許請求の範囲の記載と発明を実施するための形態の記載との対応を明らかにするためのものであり，言うまでもなく，本願発明の技術的範囲の解釈に制限的に用いられるものではない。
【００２１】
上記目的を達成するために，本発明のエンジン駆動型発電機１は，
発電機本体３及び前記発電機本体３を駆動するエンジン（図示せず）を載置した基台フレーム１１と，前記基台フレーム１１上において前記エンジン及び発電機本体３を包囲するボンネット１２により構成されたパッケージ１０を備え，前記パッケージ１０内に前記発電機本体３を，該発電機本体３の端部カバー３１が前記ボンネット１２の側壁中のいずれか一の側壁（リヤカバー１２２）と対向するように配置すると共に，前記発電機本体３上に制御盤６を載置する架台２０を設けたエンジン駆動型発電機１において，
前記架台２０が，
前記制御盤６を載置する横架材２２と，
前記一の側壁（図示の例においてリヤカバー１２２）に対して交叉する方向の側壁の一方である他の側壁（図示の例において右サイドカバー１２４）と前記発電機本体３間で前記基台フレーム１１より立設し，前記横架材２２の前記他の側壁１２４側の端部２２ａの底面を支持する脚部２１を備え，
前記架台２０の前記脚部２１に，外部機器へ電力を供給する出力端子盤７を設け，該出力端子盤７の外部配線用接続端子７１を，前記他の側壁（右サイドカバー１２４）に設けた開口４２側に突出させると共に，前記出力端子盤７の機内配線用接続端子７２を，前記発電機本体３側に突出させ，
前記一の側壁（リヤカバー１２２）のうち，少なくとも前記横架材２２よりも下方に位置する部分を前記ボンネット１２より着脱可能としたことを特徴とする（請求項１）。
【００２２】
前記出力端子盤７は，前記発電機本体３の上端よりも上方位置で前記脚部２１に設けることが好ましい（請求項２）。
【００２３】
上記構成のエンジン駆動型発電機において，更に，前記出力端子盤７を，前記発電機本体３側で覆うカバー７３（図５参照）を前記脚部２１に着脱可能に設けるものとしても良い（請求項３）。
【００２４】
前記脚部２１を，高さ方向の二辺を成し前記他の側壁（右サイドカバー１２４）と直交するフランジ部２１ａ，２１ｂと，前記フランジ部２１ａ，２１ｂ間に架設され前記他の側壁（右サイドカバー１２４）に対向する中間壁２１ｃを備えた構造に形成し，
前記脚部２１の前記中間壁２１ｃに，機内側に向かって陥没する陥没部５０を設け，該陥没部５０に前記出力端子盤７を設けるものとしても良い（請求項４）。
【００２５】
更に，前記脚部２１の前記制御盤６の載置位置における前記横架材２２に，配線用開口２２ｃ，２２ｄを設けることもできる（請求項５）。
【発明の効果】
【００２６】
以上で説明した本発明の構成により，本発明のエンジン駆動型発電機１では，以下の顕著な効果を得ることができた。
【００２７】
エンジン駆動型発電機１のパッケージ１０内に，横架材２２と脚部２１を備えた架台２０を設け，該架台２０の前記脚部２１に，外部機器へ電力を供給する出力端子盤７を設け，該出力端子盤７の外部配線用接続端子７１を，前記他の側壁（右サイドカバー１２４）に設けた開口４２側に突出させると共に，前記出力端子盤７の機内配線用接続端子７２を，前記発電機本体３側に突出させ，前記一の側壁（リヤカバー１２２）のうち，少なくとも前記横架材２２よりも下方に位置する部分を前記ボンネット１２より着脱可能としたことで，架台モジュールのサブアセンブリ時，架台２０の脚部２１に設けた出力端子盤７の背面を，架台２０の後部側から容易に目視することができ，機内配線用接続端子７２に対する配線作業が容易となった。
【００２８】
また，エンジン駆動型発電機１の組立後においては，少なくとも前記横架材２２よりも下方に位置する部分のリヤカバー１２２をボンネット１２より取り外してエンジン駆動型発電機１の後部を開放することで，この開放部分を介して出力端子盤７の背面にある機内配線用接続端子７２を容易に目視することができ，エンジン駆動型発電機１の組立完了後の検査やメンテナンス時においても，出力端子盤７の機内配線用接続端子７２に対する配線の緩みや外れ，断線等の異常を目視にて確認することが容易となり，配線の検査，点検作業の作業性を大幅に向上させることができた。
【００２９】
なお，横架材２２２より吊り下げた状態に出力端子盤２７０を取り付けていた特許文献１に記載のエンジン駆動型発電機２００の構成（図７参照）では，出力端子盤２７０が発電機本体２３０の端部カバー２３１の上端前方に覆い被さるように配置されていたことで，出力端子盤２７０の存在によって発電機本体２３０の端部カバー２３１の着脱作業を行うための作業空間が狭められていたが，前述したように出力端子盤７を，他の側壁（図示の例では右サイドカバー１２４）と発電機本体３間に配置した脚部２１に設けた本発明の構成では，出力端子盤７によって発電機本体３の端部カバー３１の前方が遮られることがなく，比較的広い作業空間が確保されることで，発電機本体３のメンテナンスの際の作業性についても大幅に向上させることができた。
【００３０】
前記出力端子盤７を，前記発電機本体３の上端よりも上方位置で前記脚部２１に設けた構成にあっては，エンジン駆動型発電機１の組み立てが完了し，パッケージ１０内に発電機本体３が収容された後の出力端子盤７の機内配線用接続端子７２の視認性をより一層向上させることができた。
【００３１】
発電機本体３側で出力端子盤７を覆うカバー７３を前記脚部２１に着脱可能に設けた構成にあっては，前述した効果に加え，更に，ボンネット１２に設けた吸気口８０（図５参照）から外気と共に導入された粉塵や雨水等が出力端子盤７の機内側配線用接続端子７２に付着することを防止でき，その結果，粉塵や雨水等の付着による漏電や端子の腐食等の不具合が発生することを防止することができた。
【００３２】
前記脚部２１を，前述したフランジ部２１ａ，２１ｂと中間壁２１ｃとを備えた構造とし，この中間壁２１ｃに，機内側に向かって陥没する陥没部５０を形成すると共に，該陥没部５０に出力端子盤７を設けた構成にあっては，この陥没部５０によって端子ボックスを形成することができた。
【００３３】
前記制御盤６の載置位置における横架材２２に配線用開口２２ｃ，２２ｄを設けた構成では，制御盤６とエンジン（図示せず），発電機本体３，及び出力端子盤７間における機内配線作業を容易行うことができた。
【図面の簡単な説明】
【００３４】
【図１】本発明のエンジン駆動型発電機の背面図。
【図２】リヤカバーを外した状態の本発明のエンジン駆動型発電機の背面図。
【図３】本発明のエンジン駆動型発電機の右側面図。
【図４】リヤカバーを外した状態の本発明のエンジン駆動型発電機の斜視図。
【図５】リヤカバーを外した状態の本発明の別のエンジン駆動型発電機の斜視図。
【図６】架台の斜視図。
【図７】従来のエンジン駆動型発電機（特許文献１）における出力端子盤の配置構造を示した説明図。
【発明を実施するための形態】
【００３５】
以下に，添付図面を参照しながら本発明のエンジン駆動型発電機１について説明する。
【００３６】
本発明のエンジン駆動型発電機１が，エンジン（図示せず）やこのエンジンによって駆動される発電機本体３，燃料タンク（図示せず）等のエンジン駆動型発電機１の構成機器をパッケージ１０内に収容した，所謂パッケージ型のエンジン駆動型発電機１である点は，前述の従来技術として説明した既知のエンジン駆動型発電機の構成と同様である。
【００３７】
そして，前述のパッケージ１０が，前述のエンジンや発電機本体３，燃料タンク等を載置する基台フレーム１１と，この基台フレーム１１の上部を覆い，前記エンジンや発電機本体３，燃料タンク等の構成機器を包囲するボンネット１２により構成されている点，及び，このパッケージ１０内に収容された前述の発電機本体３の端部カバー３１が，ボンネット１２の一の側壁，図示の実施形態にあってはリヤカバー１２２に対向した状態で前記パッケージ１０内に収容されている点についても前述した従来技術として説明した既知のエンジン駆動型発電機と同様の構成である。
【００３８】
エンジン駆動型発電機１のパッケージ１０を構成する前述のボンネット１２は，ボンネットの各側面を形成する４枚の側壁と，この側壁の上部に載置された天板とによって構成されており，パッケージ１０を平面視において略長方形状に形成した本実施形態において，以下の説明では，便宜上前記パッケージの長さ方向の一方（図３中の紙面右側）の側壁を「フロントカバー１２１」，他方（図３中の紙面左側）の側壁を「リヤカバー１２２」，右側の側壁（図１，図２中の紙面右側）を「右サイドカバー１２４」，左側の側壁（図１，図２中の紙面左側）を「左サイドカバー１２５」，ボンネットの天板を成す部分を「トップカバー１２３」として説明する。
【００３９】
図示の実施形態において，前述の発電機本体３は，エンジンの出力軸に入力軸が連結された状態で前述のボンネット１２の前記フロントカバー１２１とリヤカバー１２２間に並べて配置されており，このうちの発電機本体３をリヤカバー１２２寄りに配置して発電機本体３の端部カバー３１をボンネット１２のリヤカバー１２２に対向させて配置している。
【００４０】
そして，前記リヤカバー１２２に設けた開口４１に対するバッケージ１０の内側に操作パネル５が配置されており，前記開口４１を介して機外より操作パネル５上に設けたスイッチ類を操作することができるようになっていると共に，この操作パネル５に対し更にパッケージ１０の内側に位置して，エンジンや発電機本体３の動作及び供給電力を制御する制御盤６が配置されている。
【００４１】
また，サイドカバー１２４，１２５のいずれか，図示の実施形態にあっては右サイドカバー１２４のリヤカバー１２２寄りの位置には開口４２が設けられており，この開口４２に対するパッケージ１０の内側に出力端子盤７を設けることで，この開口４２を介して出力端子盤７に設けた外部配線用接続端子７１に機外に配置された機器（図示せず）の配線を接続することができるように構成されている。
【００４２】
前述した操作パネル５や出力端子盤７は，リヤカバー１２２や右サイドカバー１２４に取り付けることなく，パッケージ１０内に設置された架台２０に取り付けられており，この架台２０に操作パネル５や出力端子盤７を取り付けた状態でリヤカバー１２２や右サイドカバー１２４を基台フレーム１１上に取り付けると，各カバー１２２，１２４に設けた開口４１，４２の形成位置の内側に，操作パネル５と出力端子盤７が配置されるように構成されている。
【００４３】
この架台２０は，発電機本体３の上方に設けられた横架材２２と，発電機本体３とサイドカバーの一方（図示の例では右サイドカバー１２４）間において基台フレーム１１上に立設された脚部２１を備えており，この脚部２１によって横架材２２の右サイドカバー１２４側の端部２２ａ底面を支持している。
【００４４】
そして，この架台２０の横架材２２上に，エンジンや発電機本体３を制御するための制御盤６を載置し，この制御盤６のリヤカバー１２２と対向する面に操作パネル５を取り付けると共に，前記脚部２１に，右サイドカバー１２４に対向して出力端子盤７を設けている。
【００４５】
図示の実施形態にあっては，横架材２２の右サイドカバー１２４側の端部２２ａ底面を支持する脚部（右脚部２１）の他，横架材２２の左サイドカバー１２５側の端部２２ｂ底面を支持する脚部（左脚部２１’）を設け，左右の脚部２１，２１’と横架材２２によって，図２及び図６に示すように発電機本体３を跨ぐ，略門型の架台２０を形成しているが，この構成に代え，出力端子盤７を設けない側の脚部（図示の例では左脚部２１’）についてはこれを省略し，この左脚部２１’に代えて横架材２２の左サイドカバー１２５側の端部２２ｂを，左サイドカバー１２５の内壁にボルト留めや溶着，その他の方法によって固定する等しても良い。
【００４６】
前述の横架材２２は，図２及び図４に示すように発電機本体３上に制御盤６を載置するための棚板として機能するもので，図示の実施形態では右サイドカバー１２４と左サイドカバー１２５間の間隔に略等しい長さの横架材２２を設けているが，この横架材２２は，発電機本体３を跨ぎ，発電機本体３上に制御盤６と操作パネル５を載置するに必要な大きさを備えるものであれば，その形成範囲は，図示の例に限定されない。
【００４７】
本実施形態において，この横架材２２は，図６に示すように平面視矩形の金属板の４辺を所定幅で下向きに折り曲げてフランジを形成することにより強度を持たせたもので，所定位置（図示の例では２カ所）に配線用の開口２２ｃ，２２ｄを形成することで，横架材２２上に載置した制御盤６からエンジンや発電機本体３，出力端子盤７に対する配線の引き出しを行うことができるように構成されている。
【００４８】
以上のように構成された横架材２２は，基台フレーム１１上に立設された脚部２１，２１’によってその端部２２ａ，２２ｂにおける底面が支持されており，これにより横架材２２がパッケージ１０内で発電機本体３の上方の所定位置に配置されている。
【００４９】
図示の実施形態にあっては，この脚部２１，２１’として，発電機本体３と左サイドカバー１２５間に設けた左脚部２１’と，発電機本体３と右サイドカバー１２４間に設けた右脚部２１の双方を備えた構造を採用しているが，前述したように，出力端子盤７を設けない側の脚部（図示の例では左脚部２１’）については，例えば横架材２２の端部２２ｂを左サイドカバー１２５の内壁に固着する等して省略しても良い。
【００５０】
発電機本体３と右サイドカバー１２４間に配置される右脚部２１には，図示せざる外部機器に対し電力を供給する外部配線を接続するための外部配線用接続端子７１と，この外部配線用接続端子７１の基部より背面側に突出した機内配線用接続端子７２を備えた出力端子盤７が設けられている。
【００５１】
この出力端子盤７は，外部配線用接続端子７１が右サイドカバー１２４側に，機内配線用接続端子７２が発電機本体３側に配置されるよう，前述した脚部２１に設けられている。
【００５２】
右脚部２１に対する出力端子盤７の取り付け位置は，発電機本体３を搭載した後においても，リヤカバー１２２を取り外した状態でボンネット１２の後端側よりパッケージ１０内を目視した際に，機内配線用接続端子７２を容易に見ることができるよう，発電機本体３の上端位置よりも高い位置に設けることが好ましい。
【００５３】
この右脚部２１は，好ましくは図６に示すように，高さ方向の二辺を成し，右サイドカバー１２４に対し直交するフランジ部２１ａ，２１ｂと，前記フランジ部２１ａ，２１ｂ間に架設されて右サイドカバー１２４と対向する中間壁２１ｃを備えた，内向き（発電機本体３側）に開口する断面形状（図示の例では箱型）に形成されており，前記中間壁２１ｃに，機内側に向かって陥没する陥没部５０（図２，図３参照）を形成して，この陥没部５０内に出力端子盤７を設けている。
【００５４】
図示の実施形態にあっては，この陥没部５０において中間壁１０ｃを貫通する開口を設け，この開口内に，右脚部２１とは別個に形成された出力端子盤７の機内配線用接続端子７２を挿入した状態で前記出力端子盤７を中間壁２１ｃに取り付けた構成を採用している。
【００５５】
図示の実施形態にあっては，前記陥没部５０内に前述した出力端子盤７の他，コンセント７４である出力端子を取り付け，この陥没部５０によって，各種の出力端子を収容した端子ボックスを形成している。
【００５６】
右脚部２１に設けた陥没部５０と対向する位置の右サイドカバー１２４には，陥没部５０の形状に対応した形状の開口４２が形成されており，この開口４２の周縁部における右サイドカバー１２４の内面と，陥没部５０の周縁を構成する横架材端部２２ａや脚部２１のフランジ部２１ａ，２１ｂ間でゴムパッキン等のシール材を挟持することで，この部分を介した騒音の漏出防止と雨水や粉塵等が侵入を防止している。
【００５７】
この開口４２には，扉５１を設け，この扉５１によって右サイドカバー１２４に設けた開口４２を覆うことができるようにすることで，ユーザが外部配線用接続端子７１に接触して感電する等の事故の発生を防止している。
【００５８】
図示の実施形態にあっては，この扉５１の高さ方向の長さを，右サイドカバー１２４に設けた開口４２の高さ方向の開口長さよりも短く形成し，扉５１によって前記開口４２を閉じた状態においても，開口４２の下端部分が塞がれずに開放した状態を維持するように構成しており，この部分を介して外部配線用接続端子７１やコンセント７４に接続された外部配線を，開口４２外に引き出すことができるようにしている。
【００５９】
以上のようにして右脚部２１に設けた出力端子盤７の機内側の面（背面）は，図４に示すように，機内配線用接続端子７２が機内で露出した状態のままとしても良いが，この構成に代え，図５に示すように，出力端子盤７の背面を覆う着脱可能なカバー７３を設け，パッケージ１０内において機内配線用接続端子７２を覆うようにしても良く，このように形成することで，ボンネット１２に設けた吸気口８０より吸引された外気と共に機内に侵入した雨水や粉塵等が機内配線用接続端子７２に付着することにより生じる漏電や端子の腐蝕の発生等を防止することができる。
【００６０】
前述したようにフランジ部２１ａ，２１ｂと中間壁２１ｃを備え，発電機本体３側に向かって開口する断面形状（箱型）に形成した図示の右脚部２１の構成にあっては，図５に示すようにフランジ部２１ａ，２１ｂ間に架設されるカバー７３を取り付けて，右脚部２１のフランジ部２１ａ，２１ｂの内側全体を閉塞することで，出力端子盤７に設けた機内配線用接続端子７２に対する前述した雨水や粉塵等の付着を防止するのみならず，コンセント７４の背面に対する雨水や粉塵等の付着についても防止している。
【００６１】
このように，出力端子盤７の背面側を覆うカバー７３を設ける場合，カバー７３を機外に引き出す際に，横架材２２に設けたフランジが干渉しないよう，フランジに切欠２３（図５，図６参照）を設け，この切欠２３にカバー７３の上端を通すことで，カバー７３の取り出しを容易にしている。
【００６２】
架台２０の横架材２２上に載置された制御盤６には，発電機本体３の端部カバー３１が対向する一の側壁（図示の例ではリヤカバー１２２）に面して各種スイッチや計器類が設けられた操作パネル５が取り付けられており，この操作パネル５に対応する位置のリヤカバー１２２には開口４１を設け，リヤカバー１２２を取り付けた際，この開口４１を介して操作パネル５の操作を行うことができるように構成されている。
【００６３】
また，リヤカバー１２２に設けた前述の開口４１は，この開口４１を開閉する扉６０を設け，この扉６０の開放により操作パネル５に設けたスイッチ類の操作等を行うことができるように構成しても良い。
【００６４】
なお，図示の実施形態にあっては，一枚のリヤカバー１２２によってボンネット１２の後部側の側面全体を覆う構成としているが，リヤカバー１２２を架台２０の横架材２２に対し上側を覆う上側リヤカバーと，横架材２２に対し下側を覆う下側リヤカバーとに分割し，下側リヤカバーを，上側リヤカバーとは独立して着脱可能に構成しても良い。
【００６５】
以上のように構成された本発明のエンジン駆動型発電機１では，リヤカバー１２２（リヤカバー１２２を上下で分割している場合には下側リヤカバー）を取り外すことで，発電機本体３の端部カバー３１の前面が開放される。
【００６６】
架台２０の脚部２１に，機内配線用接続端子７２が発電機本体３側に向くよう出力端子盤７を取り付けた本発明の構成では，リヤカバー１２２を取り外した状態でボンネット１２の後方側より内部を目視した際に，出力端子盤７の背面にある機内配線用接続端子７２を目視によって確認することが容易であり，特に，機内配線用接続端子７２に対する機内配線の接続作業を，発電機本体を組み付ける前のサブアセンブリにおいて行う場合，十分な作業スペースも確保されるために，配線作業が行い易い。
【００６７】
また，架台２０の横架材２２に，出力端子盤７を吊り下げた状態に取り付けていた従来のエンジン駆動型発電機では，パッケージ１０内に発電機本体３を搭載した状態では発電機本体３の端部カバー３１前方に出力端子盤７が覆い被さるように配置されていたことで，端部カバー３１の着脱作業を行う際に出力端子盤７が邪魔になっていたが，右サイドカバー１２４と発電機本体３間に設けた脚部２１に出力端子盤７を設けた本発明の構成では，発電機本体３の端部カバー３１前面が大きく開いており，十分な作業スペースが確保されていることで，発電機本体３のメンテナンス時における作業性についても大幅に改善されている。
【００６８】
なお，以上で説明した本発明のエンジン駆動型発電機１では，一例としてボンネット１２の右サイドカバー１２４側に出力端子盤７を設ける構成について説明したが，出力端子盤７は，これを左サイドカバー１２５側に設けるものとしても良く，海外輸出する場合等においてエンジン駆動型発電機１を車輌や牽引用トレーラに搭載して使用する場合，輸出先の交通事情（例えば右側通行，左側通行）の相違を考慮して，使い勝手の良い側に設けるよう変更するものとしても良い。
【００６９】
この場合，前述した右脚部２１，右サイドカバー１２４の構造を，左脚部２１’，左サイドカバー１２５に採用すれば良い。
【符号の説明】
【００７０】
１  エンジン駆動型発電機
３  発電機本体
３１  端部カバー
５  操作パネル
６  制御盤
７  出力端子盤
７１  外部配線用接続端子
７２  機内配線用接続端子
７３  カバー（出力端子盤用）
７４  コンセント
１０  パッケージ
１１  基台フレーム
１２  ボンネット
１２１  フロントカバー
１２２  リヤカバー
１２２ａ  上部リヤカバー
１２２ｂ  下部リヤカバー
１２３  トップカバー
１２４  右サイドカバー
１２５  左サイドカバー
２０  架台
２１  脚部（右脚部）
２１’  脚部（左脚部）
２１ａ，２１ｂ  フランジ部
２１ｃ  中間壁
２２  横架材
２２ａ，２２ｂ  端部
２２ｃ，２２ｄ  配線用開口
２２ｅ  フランジ
２３  切欠
４１  開口（操作パネル用）
４２  開口（出力端子盤用）
５０  陥没部
５１  扉（出力端子盤用）
６０  扉(操作パネル用)
８０  吸気口
２００  エンジン駆動型発電機
２１２  リヤカバー
２２０  架台
２２１  脚部
２２２  横架材
２３０  発電機本体
２３１  端部カバー（発電機本体の）
２４１  開口（操作パネル用）
２４２  開口（出力端子盤用）
２５０  操作パネル
２６０  制御盤
２７０  出力端子盤
２７１  外部配線用接続端子
２７２  機内配線用接続端子
【図１】
0006579775.tif 000002
【図２】
0006579775.tif 000003
【図３】
0006579775.tif 000004
【図４】
0006579775.tif 000005
【図５】
0006579775.tif 000006
【図６】
0006579775.tif 000007
【図７】
0006579775.tif 000008